(57)【要約】      （修正有）【課題】被取付部材をワンタッチで取り付けることができるクリップを提供する。【解決手段】頭部、中央支柱、副支柱、弾性脚、係止部、および空所を少なくとも備えている。頭部は、パネルの片面に係止できる形状になっている。中央支柱は、頭部から下部に向けて延出されているとともに、取付孔に挿入される形状になっている。副支柱は、中央支柱と同様に、頭部から下部に向けて一体に延出され、取付孔に挿入される基部が中央支柱とほぼ９０度異なるように頭部および中央支柱と一体に成形されている。Ｖ字状に広がる一対の弾性脚は、中央支柱および副支柱の先端に連設されているとともに、頭部および副支柱方向に向けて折り返すような形状に成形されている。パネルと係止する係止部は、弾性脚の先端部に成形され、被取付部材の開孔部に係止される。また、副支柱は、弾性脚の基部から頭部に連設され、弾性脚が変形した際に、受け入れる空所が成形されている。【選択図】図１
2010261519.tif 000002
【特許請求の範囲】
【請求項１】
パネルに設けられた取付孔に取り付けられているクリップにおいて、
前記パネルの片面に係止する頭部と、
前記頭部から下部に向けて延出され、前記取付孔に挿入される中央支柱と、
前記頭部から下部に向けて延出され、前記取付孔に挿入される基部が前記中央支柱とほぼ９０度異なるように設けられた副支柱と、
前記中央支柱および副支柱の先端に連設され、かつ、前記頭部および副支柱方向に向けて折り返すとともに、Ｖ字状に広がる一対の弾性脚と、
前記弾性脚の先端部に成形され、パネルと係止する係止部と、
前記弾性脚の基部から前記頭部に連設され、前記弾性脚が変形した際に受け入れるための、前記副支柱に成形された空所と、
から少なくとも構成されていることを特徴とするクリップ。
【請求項２】
前記中央支柱および前記副支柱は、先端に向けて傾斜したパネルの取り付け孔縁を案内する案内面を備えていることを特徴とする請求項１に記載されたクリップ。
【発明の詳細な説明】
【技術分野】
【０００１】
本発明は、被取付部材をワンタッチで取り付けることができるクリップに関するものである。本発明は、たとえば、フェンダープロテクターおよびフェンダーを取り付けるクリップであり、取り付けに際し、取付作業性を向上させるとともに、正しい位置に正確で、かつ、容易に取り付けることができるクリップに関するものである。
【背景技術】
【０００２】
図４は従来例におけるクリップを説明するための斜視図である。図４において、クリップ４１は、たとえば、実開昭６２−１５６６１２号公報に記載されているように、図示されていない頭部から一体に垂下されている第１支柱４２および第２支柱４３と、前記第１支柱４２および第２支柱４３の先端部から一体に頭部方向に向かって伸びる第１弾性脚４４および第２弾性脚４５がＶ字状に設けられている。また、前記第１支柱４２、第２支柱４３、第１弾性脚４４、および第２弾性脚４５は、互いに点対照に設けられている。
【０００３】
図５は従来例における他のクリップを説明するための図である。図５において、クリップ５１は、たとえば、特開２００２−２７６６３３号公報に記載されているように、パネル取付孔に挿入した際に片面に当接する頭部５２と、前記頭部５２の中心部から下方に延出される支柱５３と、前記支柱５３の先端部５４から前記頭部５２に向けて折り返すＶ字状の一対の弾性脚５５と、前記弾性脚５５の外側に設けられた係止部５６とから構成されている。
【先行技術文献】
【特許文献】
【０００４】
【特許文献１】実開昭６２−１５６６１２号公報
【特許文献２】特開２００２−２７６６３３号公報
【発明の概要】
【発明が解決しようとする課題】
【０００５】
前記実開昭６２−１５６６１２号公報に記載されているクリップ４１は、第１支柱４２、第２支柱４３、第１弾性脚４４、および第２弾性脚４５が互いに点対照に設けられているため、たとえば、フェンダーのような狭い場所における取り付け、あるいは不自然な姿勢による取り付けの場合、一部が削られながら挿入され、クリップ４１の挿入が硬くなり、また、開口部に係合する爪４６から外れる場合があった。
【０００６】
前記特開２００２−２７６６３３号公報に記載されているクリップ５１は、支柱５３の長さ方向に対して点対照にＶ字状弾性脚部５５が設けられているため、前記支柱５３の長さ方向に対して、回転がし易くなっている。したがって、前記クリップ５１は、狭い場所に不自然な作業姿勢で取り付ける際に、一部が削られながら挿入され、あるいは所定の姿勢で定位置に取り付けられない場合があった。また、前記弾性脚４４、４５は、センタリングが上手にできないため、被取付部材の孔に対する嵌合が外れてしまうといった問題を有していた。
【０００７】
以上のような課題を解決するために、本発明は、取り付け時における作業性の悪い場所であっても、正しい中心位置に取り付けられるクリップを提供することを目的とする。また、本発明は、クリップの孔への取り付け時に、孔への担ぎ防止、センタリング機能の向上、爪外れを防止するクリップを提供することを目的とする。
【課題を解決するための手段】
【０００８】
（第１発明）
第１発明のクリップは、パネルに設けられた取付孔に取り付けられるものであり、前記パネルの片面に係止する頭部と、前記頭部から下部に向けて延出され、前記取付孔に挿入される中央支柱と、前記頭部から下部に向けて延出され、前記取付孔に挿入される基部が前記中央支柱とほぼ９０度異なるように設けられた副支柱と、前記中央支柱および副支柱の先端に連設され、かつ、前記頭部および副支柱方向に向けて折り返すとともに、Ｖ字状に広がる一対の弾性脚と、前記弾性脚の先端部に成形され、パネルと係止する係止部と、前記弾性脚の基部から前記頭部に連設され、前記弾性脚が変形した際に受け入れるための、前記副支柱に成形された空所とから少なくとも構成されていることを特徴とする。
【０００９】
（第１発明）
第２発明のクリップにおいて、前記中央支柱および前記副支柱は、先端に向けて傾斜したパネルの取り付け孔縁を案内する案内面を備えていることを特徴とする。
【発明の効果】
【００１０】
本発明によれば、クリップの中央支柱が線対照で、かつ、副支柱が点対照に配置されているため、取り付けに際して傾きがあっても、センタリングされ、取り付け位置がずれることがなく、迅速、かつ、正確に取り付けることができる。
【００１１】
本発明によれば、前記弾性脚を被取付部材の開孔に挿入する際に収納できる位置に空所が設けてあり、副支柱を中心点に対して点対照位置に設けることで、取り付けが傾かずに、センタリングされて取り付けられる。
【００１２】
本発明によれば、中央支柱および副支柱の案内面がほぼ直交するように成形されているため、被取付部材の開孔部に挿入する際に、自動的にセンタリングされ、取り付けが容易、迅速、かつ、確実に取り付けられる。
【００１３】
本発明によれば、取付作業の姿勢が悪い状態で行っても、クリップの一部が削られ、あるいはセンターがずれることなく、所定の位置に取り付けることができる。
【図面の簡単な説明】
【００１４】
【図１】本発明の実施例であるクリップの斜視図である。（実施例１）
【図２】本発明の実施例であるクリップをパネルに設けられた開孔に取り付けた状態を説明するための図である。
【図３】本発明の実施例であり、（イ）はクリップの断面図、（ロ）は（イ）のＡ−Ａ断面図、（ハ）は（イ）のＢ−Ｂ断面図である。
【図４】従来例におけるクリップを説明するための斜視図である。
【図５】実施例における他のクリップを説明するための図である。
【発明を実施するための形態】
【００１５】
（第１発明）
第１発明のクリップは、パネルに設けられた取付孔に取り付けることにより、被取付部材、たとえば、フェンダープロテクターおよびフェンダーを取り付けるものである。前記クリップは、頭部、中央支柱、副支柱、弾性脚、係止部、および空所を少なくとも備えている。前記頭部は、前記パネルの片面に係止できる形状になっている。前記中央支柱は、前記頭部から下部に向けて延出されているとともに、前記取付孔に挿入される形状になっている。
【００１６】
前記副支柱は、前記中央支柱と同様に、前記頭部から下部に向けて一体に延出され、前記取付孔に挿入される基部が前記中央支柱とほぼ９０度異なるように前記頭部および中央支柱と一体に成形されている。Ｖ字状に広がる一対の弾性脚は、前記中央支柱および副支柱の先端に連設されているとともに、前記頭部および副支柱方向に向けて折り返すような形状に成形されている。
【００１７】
パネルと係止する係止部は、前記弾性脚の先端部に成形され、たとえば、フェンダープロテクターおよびフェンダーの開孔部に係止される。また、前記副支柱は、前記弾性脚の基部から前記頭部に連設され、前記弾性脚が変形した際に、受け入れる空所が成形されている。前記クリップは、中央支柱が線対照に、また、副支柱が対角状（点対照）に配置されており、取り付けに際して傾きがあっても、センタリングされ、取り付け位置がずれることがなく、迅速、かつ、正確に取り付けることができる。また、前記空所は、前記弾性脚を被取付部材の開孔に挿入する際に、副支柱の一部に収納できる位置に設けられている。そのため、前記副支柱は、点対照位置に設けられ、コンパクトに成形することができる。
【００１８】
（第２発明）
第２発明のクリップは、中央支柱および前記副支柱が先端に向けて傾斜したパネルの取り付け孔縁を案内する案内面を備えている。前記案内面は、ほぼ直交するように成形されているため、たとえば、フェンダープロテクターおよびフェンダーの開孔部に挿入される際に、自動的にセンタリングされ、取り付けが容易、迅速、かつ、確実に取り付けられる。また、本発明のクリップは、前記構成により、取付作業の姿勢が悪い状態で行っても、一部が削られ、あるいはセンタリングがずれることなく、所定の範囲内（たとえば、裏板の５ｍｍ以内に）に納めることができる。
【実施例】
【００１９】
図１は本発明の実施例であるクリップの斜視図である。図２は本発明の実施例であるクリップをパネルに設けられた開孔に取り付けた状態を説明するための図である。図１および図２において、クリップ１１は、パネル２１、２２に設けられた取付孔２１１に取り付けることにより、被取付部材、たとえば、フェンダープロテクターおよびフェンダーを取り付けるものである。前記クリップ１１は、頭部１２、中央支柱１３、副支柱１４、Ｖ字状弾性脚１５、係止部１５２、および空所１４１を少なくとも備えている。前記頭部１２は、たとえば、パッキング２３およびパネル２２を介して、前記パネル２１の片面に係止できる形状になっている。前記中央支柱１３は、前記頭部１２から下部に向けて一体に延出されているとともに、前記取付孔２１１に挿入される形状になっている。
【００２０】
前記副支柱１４は、前記中央支柱１３と同様に、前記頭部１２から下部に向けて一体に延出され、前記取付孔２１１に挿入される基部において、前記中央支柱１３とほぼ９０度異なるように前記頭部１２および中央支柱１３と一体に成形されている。前記Ｖ字状弾性脚１５は、前記中央支柱１３および副支柱１４の先端に連設されているとともに、前記頭部１２および副支柱１４方向に向けて折り返すような形状に一体成形されている。
【００２１】
パネル２１と係止する係止部１５２は、前記Ｖ字状弾性脚１５の先端部に成形され、たとえば、フェンダープロテクターおよびフェンダーの開孔部に係止される。また、前記副支柱１４は、前記Ｖ字状弾性脚１５の基部から前記頭部１２に連設され、前記Ｖ字状弾性脚１５が変形した際に、受け入れる空所１４１が成形されている。前記クリップ１１は、中央支柱１３が線対照に、また、副支柱１４が対角状（点対照）に配置されている。
【００２２】
前記構成のクリップ１１は、取り付けに際して傾きがあっても、センタリングされ易く、取り付け位置がずれることがなく、迅速、かつ、正確に取り付けることができる。また、前記空所１４１は、前記Ｖ字状弾性脚１５を被取付部材の開孔に挿入する際に、前記副支柱１４の一部に収納できる位置に設けられている。そのため、前記副支柱１４は、点対照位置に設けられ、コンパクトに成形することができる。
【００２３】
また、前記クリップ１１は、中央支柱１３および前記副支柱１４が先端に向けて傾斜したパネルの取り付け孔縁を案内する案内面１３１、１５１を備えている。前記案内面１３１、１５１は、複数の面にすることができる。また、前記案内面１３１、１５１は、ほぼ直交するように成形されているため、たとえば、フェンダープロテクターおよびフェンダーの開孔部に挿入される際に、自動的にセンタリングされ、取り付けが容易、迅速、かつ、確実に取り付けられる。また、本発明のクリップは、前記構成により、取付作業の姿勢が悪い状態で行っても、一部が削られ、あるいはセンタリングがずれることなく、所定の範囲内（たとえば、裏板の５ｍｍ以内に）に納めることができる。
【００２４】
図３は本発明の実施例であり、（イ）はクリップの断面図、（ロ）は（イ）のＡ−Ａ断面図、（ハ）は（イ）のＢ−Ｂ断面図である。図３（ロ）において、前記中央支柱１３および１３′は、頭部１２に近い基部近傍で、線対照に設けられていることが判る。また、前記副支柱１４、１４′は、中心に対して点対照に設けられている。なお、前記中央支柱１３、１３′および副支柱１４、１４′は、頭部１２の近傍、すなわち、基部において、ほぼ十字状に成形されている。
【００２５】
図３（ハ）において、前記中央支柱１３、１３′は、断面Ｂ−Ｂが先端部にいくにしたがい案内面（図１の符号１３１）が設けられていることが判る。また、前記副支柱１４、１４′は、空所１４１、１４１′が一部に設けられている。前記空所１４１、１４１′は、Ｖ字状弾性脚１５がパネル２１の開孔部２１１を通過する際に収納される。すなわち、前記Ｖ字状弾性脚１５は、前記開孔部２１１を通過した後、広がり前記パネル２１を係止部１５２に係合する。
【００２６】
本発明のクリップは、たとえば、フェンダープロテクター、およびフェンダーを取り付ける場合、孔径が７ｍｍ、フェンダーの板裏が５ｍｍ以内に収める必要がある。本発明のクリップは、前記Ｖ字状弾性脚の収納、前記大きさ、および二つの金型による作製、等の要件を満たす構造となっている。
【００２７】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のクリップは、特許請求の範囲に記載された範囲により、各部の形状および寸法を変更することができることはいうまでもない。
【符号の説明】
【００２８】
１１・・・クリップ
１２・・・頭部
１３・・・中央支柱
１３１・・・案内面
１４・・・副支柱
１４１・・・空所
１５・・・Ｖ字状弾性脚
１５１・・・案内面
１５２・・・係止部
２１・・・パネル
２１１・・・開孔部
２２・・・パネル
２３・・・パッキング
【図１】
2010261519.tif 000003
【図２】
2010261519.tif 000004
【図３】
2010261519.tif 000005
【図４】
2010261519.tif 000006
【図５】
2010261519.tif 000007